(57)【要約】      （修正有）【課題】抵抗膜式タッチパネルにおいて、マイグレーション現象の発生を防止する。【解決手段】タッチパネルの固着部材１２は、電気絶縁性及び接着性を有するシリコーン接着剤から形成される第１の固着要素１６と、第１の固着要素とは異なる接着剤から形成される第２の固着要素１８とを含む。第１の固着要素１６は、額縁領域１１のうち、少なくとも２個の導体１４の少なくとも一部分が互いに近接してパターニングされている第１領域１９に配置されて、少なくとも２個の導体１４の少なくとも一部分を被覆する。第２の固着要素１８は、額縁領域１１のうち、第１領域１９を除いた第２領域２２に配置される。【選択図】図４
2012022398.tif 000002
【特許請求の範囲】
【請求項１】
基板及び該基板の一表面に設けられる透明導電膜をそれぞれに備える一対の電極板と、該一対の電極板の双方の外縁に沿った環状の額縁領域に配置され、それら電極板を、それぞれの前記透明導電膜を互いに導通接触可能に対向かつ離間させた相対配置で互いに固着する固着部材とを具備し、少なくとも一方の前記電極板の前記額縁領域に、少なくとも一方の前記電極板の前記透明導電膜に接続される複数の導体がパターニングされているタッチパネルにおいて、
前記固着部材は、電気絶縁性及び接着性を有するシリコーン接着剤から形成される第１の固着要素と、該第１の固着要素とは異なる接着剤から形成される第２の固着要素とを含み、
前記第１の固着要素は、前記額縁領域のうち、少なくとも２個の前記導体の少なくとも一部分が互いに近接してパターニングされている第１領域に配置されて、該少なくとも２個の前記導体の該少なくとも一部分を被覆し、
前記第２の固着要素は、前記額縁領域のうち、前記第１領域を除いた第２領域に配置されること、
を特徴とするタッチパネル。
【請求項２】
基板及び該基板の一表面に設けられる透明導電膜をそれぞれに備える一対の電極板と、該一対の電極板の双方の外縁に沿った環状の額縁領域に配置され、それら電極板を、それぞれの前記透明導電膜を互いに導通接触可能に対向かつ離間させた相対配置で互いに固着する固着部材とを具備するタッチパネルにおいて、
前記固着部材は、電気絶縁性及び接着性を有するシリコーン接着剤から形成される固着要素を少なくとも一部に含み、
前記固着部材は、前記一対の電極板の前記外縁から、それら電極板の前記透明導電膜の中心に向かう方向へ離れて配置されること、
を特徴とするタッチパネル。
【請求項３】
前記一対の電極板の双方の前記外縁に隣接して、前記固着部材の前記固着要素から発生する低分子シロキサンの外部流出を阻止する封止剤が、前記一対の電極板の間を封止するように配置されている、請求項２に記載のタッチパネル。
【請求項４】
基板及び該基板の一表面に設けられる透明導電膜をそれぞれに備える一対の電極板と、該一対の電極板の双方の外縁に沿った環状の額縁領域に配置され、それら電極板を、それぞれの前記透明導電膜を互いに導通接触可能に対向かつ離間させた相対配置で互いに固着する固着部材とを具備し、少なくとも一方の前記電極板の前記額縁領域に、少なくとも一方の前記電極板の前記透明導電膜に接続される複数の導体がパターニングされ、少なくとも一方の前記電極板が、前記基板の前記表面の全体に前記透明導電膜を設けているとともに、該透明導電膜の所望位置に、前記額縁領域における所望部分を前記額縁領域の内側の入力操作領域から絶縁するためのスリットが形成されているタッチパネルにおいて、
前記固着部材は、電気絶縁性及び接着性を有するシリコーン接着剤から形成される固着要素を少なくとも一部に含み、
前記固着要素は、前記スリットを被覆して配置されること、
を特徴とするタッチパネル。
【請求項５】
基板及び該基板の一表面に設けられる透明導電膜をそれぞれに備える一対の電極板と、該一対の電極板の双方の外縁に沿った環状の額縁領域に配置され、それら電極板を、それぞれの前記透明導電膜を互いに導通接触可能に対向かつ離間させた相対配置で互いに固着する固着部材とを具備し、少なくとも一方の前記電極板の前記額縁領域に、少なくとも一方の前記電極板の前記透明導電膜に接続される複数の導体がパターニングされ、少なくとも一方の前記電極板が、前記基板の前記表面の全体に前記透明導電膜を設けているとともに、該透明導電膜の所望位置に、前記額縁領域における所望部分を前記額縁領域の内側の入力操作領域から絶縁するためのスリットが形成されているタッチパネルにおいて、
前記固着部材は、電気絶縁性及び接着性を有するシリコーン接着剤から形成される固着要素を少なくとも一部に含み、
前記固着要素は、前記スリットに重ならないように配置されること、
を特徴とするタッチパネル。
【請求項６】
前記固着部材の前記固着要素の、前記透明導電膜の中心に向かう側に隣接して、前記固着要素から発生する低分子シロキサンの内部流出を阻止する封止剤が、前記一対の電極板の間を封止するように配置されている、請求項１〜５のいずれか一項に記載のタッチパネル。
【請求項７】
少なくとも一方の前記電極板が、前記基板の前記表面の外縁に沿って前記透明導電膜を設けていない基板露出部分を備え、前記固着部材は、該基板露出部分を覆うように配置されて、少なくとも一方の前記電極板の前記透明導電膜の外縁を被覆する、請求項１〜６のいずれか一項に記載のタッチパネル。
【請求項８】
基板及び該基板の一表面に設けられる透明導電膜をそれぞれに備える一対の電極板と、該一対の電極板の双方の外縁に沿った環状の額縁領域に配置され、それら電極板を、それぞれの前記透明導電膜を互いに導通接触可能に対向かつ離間させた相対配置で互いに固着する固着部材とを具備し、少なくとも一方の前記電極板が、前記基板の前記表面の全体に前記透明導電膜を設けているタッチパネルにおいて、
前記固着部材は、電気絶縁性及び接着性を有するシリコーン接着剤から形成される固着要素を少なくとも一部に含み、
前記固着部材は、前記基板の前記表面の全体に前記透明導電膜を設けている前記少なくとも一方の電極板の外方へ食み出して配置されて、該少なくとも一方の電極板の前記透明導電膜の外縁を被覆すること、
を特徴とするタッチパネル。
【請求項９】
前記固着部材が、前記額縁領域の内側に延長されて、誤入力防止層を形成する、請求項１〜８のいずれか一項に記載のタッチパネル。
【請求項１０】
前記一対の電極板の前記額縁領域に配置されるフレキシブル配線板をさらに具備し、前記固着部材が該フレキシブル配線板を前記一対の電極板に固着する、請求項１〜９のいずれか一項に記載のタッチパネル。
【発明の詳細な説明】
【技術分野】
【０００１】
本発明は、抵抗膜式のタッチパネルに関する。
【背景技術】
【０００２】
抵抗膜式タッチパネルは、上部基板に透明導電膜を設けた上部電極板（可動電極板）と下部基板に透明導電膜を設けた下部電極板（固定電極板）とを、スペーサを介して粘着剤などにより、それぞれの透明導電膜を相対させて互いに固定した構造を有する。
【０００３】
特許文献１には、下面に上導電層が形成された上基板と、上面に上導電層と所定の間隙を開けて対向する下導電層が形成された下基板と、上基板と下基板の所定箇所を貼り合わせるスペーサとを備えたタッチパネルが開示されている。スペーサは、加熱硬化によって接着性を生じるものであり、エポシキ、ウレタン、シリコーン組成物を主剤とする熱硬化樹脂を、塗布または印刷することにより形成されている。
【先行技術文献】
【特許文献】
【０００４】
【特許文献１】特開２００３−２８０８２１号公報
【発明の概要】
【発明が解決しようとする課題】
【０００５】
抵抗膜式タッチパネルにおいては、絶縁体に対する導体のマイグレーション現象を、確実に防止できることが要求されている。
【課題を解決するための手段】
【０００６】
本発明によれば、以下の特徴を有する種々のタッチパネルが提供される。
【０００７】
請求項１に記載の発明では、基板及び基板の一表面に設けられる透明導電膜をそれぞれに備える一対の電極板と、一対の電極板の双方の外縁に沿った環状の額縁領域に配置され、それら電極板を、それぞれの透明導電膜を互いに導通接触可能に対向かつ離間させた相対配置で互いに固着する固着部材とを具備し、少なくとも一方の電極板の額縁領域に、少なくとも一方の電極板の透明導電膜に接続される複数の導体がパターニングされているタッチパネルにおいて、固着部材は、電気絶縁性及び接着性を有するシリコーン接着剤から形成される第１の固着要素と、第１の固着要素とは異なる接着剤から形成される第２の固着要素とを含み、第１の固着要素は、額縁領域のうち、少なくとも２個の導体の少なくとも一部分が互いに近接してパターニングされている第１領域に配置されて、少なくとも２個の導体の少なくとも一部分を被覆し、第２の固着要素は、額縁領域のうち、第１領域を除いた第２領域に配置されること、を特徴とする。
【０００８】
請求項２に記載の発明では、基板及び基板の一表面に設けられる透明導電膜をそれぞれに備える一対の電極板と、一対の電極板の双方の外縁に沿った環状の額縁領域に配置され、それら電極板を、それぞれの透明導電膜を互いに導通接触可能に対向かつ離間させた相対配置で互いに固着する固着部材とを具備するタッチパネルにおいて、固着部材は、電気絶縁性及び接着性を有するシリコーン接着剤から形成される固着要素を少なくとも一部に含み、固着部材は、一対の電極板の外縁から、それら電極板の透明導電膜の中心に向かう方向へ離れて配置されること、を特徴とする。
【０００９】
請求項３に記載の発明では、請求項２に記載の発明において、一対の電極板の双方の外縁に隣接して、固着部材の固着要素から発生する低分子シロキサンの外部流出を阻止する封止剤が、一対の電極板の間を封止するように配置されている、ことを特徴とする。
【００１０】
請求項４に記載の発明では、基板及び基板の一表面に設けられる透明導電膜をそれぞれに備える一対の電極板と、一対の電極板の双方の外縁に沿った環状の額縁領域に配置され、それら電極板を、それぞれの透明導電膜を互いに導通接触可能に対向かつ離間させた相対配置で互いに固着する固着部材とを具備し、少なくとも一方の電極板の額縁領域に、少なくとも一方の電極板の透明導電膜に接続される複数の導体がパターニングされ、少なくとも一方の電極板が、基板の表面の全体に透明導電膜を設けているとともに、透明導電膜の所望位置に、額縁領域における所望部分を額縁領域の内側の入力操作領域から絶縁するためのスリットが形成されているタッチパネルにおいて、固着部材は、電気絶縁性及び接着性を有するシリコーン接着剤から形成される固着要素を少なくとも一部に含み、固着要素は、スリットを被覆して配置されること、を特徴とする。
【００１１】
請求項５に記載の発明では、基板及び基板の一表面に設けられる透明導電膜をそれぞれに備える一対の電極板と、一対の電極板の双方の外縁に沿った環状の額縁領域に配置され、それら電極板を、それぞれの透明導電膜を互いに導通接触可能に対向かつ離間させた相対配置で互いに固着する固着部材とを具備し、少なくとも一方の電極板の額縁領域に、少なくとも一方の電極板の透明導電膜に接続される複数の導体がパターニングされ、少なくとも一方の電極板が、基板の表面の全体に透明導電膜を設けているとともに、透明導電膜の所望位置に、額縁領域における所望部分を額縁領域の内側の入力操作領域から絶縁するためのスリットが形成されているタッチパネルにおいて、固着部材は、電気絶縁性及び接着性を有するシリコーン接着剤から形成される固着要素を少なくとも一部に含み、固着要素は、スリットに重ならないように配置されること、を特徴とする。
【００１２】
請求項６に記載の発明では、請求項１〜５のいずれか一項に記載の発明において、固着部材の固着要素の、透明導電膜の中心に向かう側に隣接して、固着要素から発生する低分子シロキサンの内部流出を阻止する封止剤が、一対の電極板の間を封止するように配置されている、ことを特徴とする。
【００１３】
請求項７に記載の発明では、請求項１〜６のいずれか一項に記載の発明において、少なくとも一方の電極板が、基板の表面の外縁に沿って透明導電膜を設けていない基板露出部分を備え、固着部材は、基板露出部分を覆うように配置されて、少なくとも一方の電極板の透明導電膜の外縁を被覆する、ことを特徴とする。
【００１４】
請求項８に記載の発明では、基板及び基板の一表面に設けられる透明導電膜をそれぞれに備える一対の電極板と、一対の電極板の双方の外縁に沿った環状の額縁領域に配置され、それら電極板を、それぞれの透明導電膜を互いに導通接触可能に対向かつ離間させた相対配置で互いに固着する固着部材とを具備し、少なくとも一方の電極板が、基板の表面の全体に透明導電膜を設けているタッチパネルにおいて、固着部材は、電気絶縁性及び接着性を有するシリコーン接着剤から形成される固着要素を少なくとも一部に含み、固着部材は、基板の表面の全体に透明導電膜を設けている少なくとも一方の電極板の外方へ食み出して配置されて、少なくとも一方の電極板の透明導電膜の外縁を被覆すること、特徴とする。
【００１５】
請求項９に記載の発明では、請求項１〜８のいずれか一項に記載の発明において、固着部材が、額縁領域の内側に延長されて、誤入力防止層を形成すること、を特徴とする。
【００１６】
請求項１０に記載の発明では、請求項１〜９のいずれか一項に記載の発明において、一対の電極板の額縁領域に配置されるフレキシブル配線板をさらに具備し、固着部材がフレキシブル配線板を一対の電極板に固着する、ことを特徴とする。
【発明の効果】
【００１７】
請求項１の発明では、電気絶縁性及び接着性を有するシリコーン接着剤から形成される第１の固着要素が、額縁領域のうち、少なくとも２個の導体の少なくとも一部分が互いに近接してパターニングされている第１領域に配置されて、少なくとも２個の導体の少なくとも一部分を被覆することで、マイグレーション現象（高温、高湿の環境下において、導体の金属が金属イオン（例えば銀イオン）となって、絶縁物の上を移動する現象）を防止するように作用する。しかも、マイグレーション現象が発生し易い箇所のみに第１の固着要素を設けているから、経費を節約することができる。
【００１８】
請求項２の発明では、電気絶縁性及び接着性を有するシリコーン接着剤から形成される固着要素が、マイグレーション現象を防止するように作用する。更に、固着部材が、一対の電極板の外縁から、それら電極板の透明導電膜の中心に向かう方向へ離れて配置されるので、タッチパネルを筐体に取り付けるときに、固着部材が筐体等に接着しないようにすることができる。
【００１９】
請求項３の発明では、請求項２の発明による効果に加えて、固着要素から発生する低分子シロキサンによる、フレキシブル配線板での誤作動を、封止剤により防止することができる。
【００２０】
請求項４の発明では、電気絶縁性及び接着性を有するシリコーン接着剤から形成される固着要素が、マイグレーション現象を防止するように作用する。更に、固着部材の固着要素が、スリットを被覆して配置されるので、電極板の透明導電膜の導体の金属がイオン化して固着部材上を移動してスリットを越えて透明導電膜の中心に向かう側に析出するマイグレーション現象を、抑制することができる。
【００２１】
請求項５の発明によれば、電気絶縁性及び接着性を有するシリコーン接着剤から形成される固着要素が、マイグレーション現象を防止するように作用する。更に、固着部材の固着要素が、スリットに重ならないように配置されるので、スリットを画定する透明導電膜の縁部分と固着部材との間に界面が存在せず、透明導電膜の導体の金属がイオン化して界面を移動してスリットを越えて透明導電膜の中心に向かう側に析出するマイグレーション現象を抑制することができる。
【００２２】
請求項６の発明によれば、請求項１〜５のいずれか一項の発明による効果に加えて、固着要素から発生する低分子シロキサンによる、タッチパネルの誤作動を、封止剤により防止することができる。
【００２３】
請求項７の発明によれば、請求項１〜６のいずれか一項の発明による効果に加えて、固着部材が、基板露出部分を覆うように配置されて、少なくとも一方の電極板の透明導電膜の外縁を被覆するので、透明導電膜の外縁が外部に露出されなくなり、タッチパネルの誤作動を防止することができる。
【００２４】
請求項８の発明によれば、電気絶縁性及び接着性を有するシリコーン接着剤から形成される固着要素が、マイグレーション現象を防止するように作用する。更に、固着部材が、基板の表面の全体に透明導電膜を設けている少なくとも一方の電極板の外方へ食み出して配置されて、少なくとも一方の電極板の透明導電膜の外縁を被覆するので、透明導電膜の外縁が外部に露出されなくなり、タッチパネルの誤作動を防止することができる。
【００２５】
請求項９の発明によれば、請求項１〜８のいずれか一項の発明による効果に加えて、誤入力防止層を形成する固着部材が、タッチパネルの誤入力を防止するように作用する。
【００２６】
請求項１０の発明によれば、請求項１〜９のいずれか一項の発明による効果に加えて、一対の電極板へのフレキシブル配線板の固定を、固着部材により補強することができる。
【図面の簡単な説明】
【００２７】
【図１】本発明の第１の実施形態のタッチパネルを示す斜視図である。
【図２】タッチパネルの一方の電極板を示す斜視図である。
【図３】タッチパネルの他方の電極板を示す斜視図である。
【図４】タッチパネルの一方の電極板を、固着部材を配置した状態で示す斜視図である。
【図５】本発明の第２の実施形態のタッチパネルを示す斜視図である。
【図６】タッチパネルの一方の電極板を示す斜視図である。
【図７】タッチパネルの他方の電極板を示す斜視図である。
【図８】タッチパネルの図５におけるＶ-Ｖ断面図である。
【図９】本発明の第３の実施形態のタッチパネルを図８に対応する断面図で示す。
【図１０】本発明の第４の実施形態のタッチパネルを図８に対応する断面図で示す。
【図１１】本発明の第５の実施形態のタッチパネルを図８に対応する断面図で示す。
【図１２】本発明の第６の実施形態のタッチパネルを図８に対応する断面図で示す。
【図１３】本発明の第７の実施形態のタッチパネルを図８に対応する断面図で示す。
【図１４】本発明の第８の実施形態のタッチパネルを図８に対応する断面図で示す。
【図１５】本発明の第９の実施形態のタッチパネルを図８に対応する断面図で示す。
【図１６】本発明の第１０の実施形態のタッチパネルの一方の電極板を、固着部材及びフレキシブル配線板を配置した状態で示す一部透視図である。
【発明を実施するための形態】
【００２８】
以下、添付図面を参照して、本発明をその好適な実施の形態に基づき詳細に説明する。各図面において、同一又は類似の構成要素には共通の参照符号を付す。
【００２９】
図１は、本発明の第１の実施形態のタッチパネル１０の斜視図、図２は、タッチパネル１０の一方の電極板８の斜視図、図３は、タッチパネル１０の他方の電極板６の斜視図、図４は、タッチパネル１０の電極板８を、固着部材１２（第１の固着要素１６及び第２の固着要素１８）を配置した状態で示す斜視図である。
【００３０】
タッチパネル１０は、基板２及び基板２の一表面に設けられる透明導電膜４をそれぞれに備える一対の電極板６、８と、一対の電極板６、８の双方の外縁９に沿った環状の額縁領域１１に配置され、それら電極板６、８を、それぞれの透明導電膜４を互いに導通接触可能に対向かつ離間させた相対配置で互いに固着する固着部材１２とを具備する。一方の電極板８の額縁領域１１に、電極板８の透明導電膜４に接続される複数（図では４個）の導体１４がパターニングされている。なお、複数の導体１４を両方の電極板６、８に分散させて配置することもできる（例えば図６及び図７参照）。また、電極板８の透明導電膜４の上には、額縁領域１１に、タッチパネル１０の動作を確保するための絶縁層３が設けられ、絶縁層３の上に、導体１４の配線部分が配置されている。
【００３１】
固着部材１２は、電気絶縁性及び接着性を有するシリコーン接着剤から形成される第１の固着要素１６と、第１の固着要素１６とは異なる接着剤から形成される第２の固着要素１８とを含む。第１の固着要素１６は、額縁領域１１のうち、少なくとも２個（図では４個）の導体１４の少なくとも一部分が互いに近接してパターニングされている第１領域１９に配置されて、それら導体１４の少なくとも一部分を被覆する。第２の固着要素１８は、額縁領域１１のうち、第１領域１９を除いた第２領域２２に配置されている。
【００３２】
この構成では、電気絶縁性及び接着性を有するシリコーン接着剤から形成される第１の固着要素１６が、額縁領域１１のうち、少なくとも２個（図では４個）の導体１４の少なくとも一部分が互いに近接してパターニングされている第１領域１９に配置されて、それら導体１４の少なくとも一部分を被覆することで、マイグレーション現象を防止するように作用する。しかも、マイグレーション現象が発生し易い箇所のみに第１の固着要素１６を設けているから、経費を節約することができる。
【００３３】
図５は、本発明の第２の実施形態のタッチパネル２０の斜視図、図６は、タッチパネル２０の一方の電極板８の斜視図、図７は、タッチパネル２０の他方の電極板６の斜視図、図８は、タッチパネル２０の図５におけるＶ-Ｖ断面図である。
【００３４】
タッチパネル２０は、基板２及び基板２の一表面に設けられる透明導電膜４をそれぞれに備える一対の電極板６、８と、一対の電極板６、８の双方の外縁９に沿った環状の額縁領域１１（図６の破線の外側領域）に配置され、それら電極板６、８を、それぞれの透明導電膜４を互いに導通接触可能に対向かつ離間させた相対配置で互いに固着する固着部材１２とを具備する。両方の電極板６、８の額縁領域１１に、電極板６、８の透明導電膜４にそれぞれ接続される複数（図では２個ずつ）の導体１４がパターニングされている。また、電極板６、８の透明導電膜４の上には、額縁領域１１に、タッチパネル１０の動作を確保するための絶縁層３が設けられ、絶縁層３の上に、導体１４の配線部分が配置されている。
【００３５】
固着部材１２は、電気絶縁性及び接着性を有するシリコーン接着剤から形成される固着要素１６を少なくとも一部に含む。固着部材１２は、一対の電極板６、８の外縁９から、それら電極板の透明導電膜４の中心に向かう方向へ離れて配置されている（図８）。
【００３６】
この構成では、電気絶縁性及び接着性を有するシリコーン接着剤から形成される固着要素１６が、マイグレーション現象を防止するように作用する。更に、固着部材１２が、一対の電極板６、８の外縁９から、それら電極板の透明導電膜４の中心に向かう方向へ離れて配置されるので、タッチパネルを筐体に取り付けるときに、固着部材１２が筐体等に接着しないようにすることができる。
【００３７】
図９は、本発明の第３の実施形態のタッチパネル３０を、図８に対応する断面図で示す。
【００３８】
タッチパネル３０では、タッチパネル２０の構成に加えて、一対の電極板６、８の双方の外縁９に隣接して、固着部材１２の固着要素１６から発生する低分子シロキサンの外部流出を阻止する封止剤２４が、一対の電極板６、８の間を封止するように配置されている。この構成によれば、固着要素１６から発生する低分子シロキサンによる、フレキシブル配線板３８（後述する）の誤作動を、封止剤２４により防止することができる。
【００３９】
図１０は、本発明の第４の実施形態のタッチパネル４０を、図８に対応する断面図で示す。
【００４０】
タッチパネル４０は、基板２及び基板２の一表面に設けられる透明導電膜４をそれぞれに備える一対の電極板６、８と、一対の電極板６、８の双方の外縁９に沿った環状の額縁領域１１（図６）に配置され、それら電極板６、８を、それぞれの透明導電膜４を互いに導通接触可能に対向かつ離間させた相対配置で互いに固着する固着部材１２とを具備する。両方の電極板６、８の額縁領域１１に、電極板６、８の透明導電膜４にそれぞれ接続される複数（２個ずつ）の導体１４がパターニングされる（図６及び図７）。それら電極板６、８は、基板２の表面の全体に透明導電膜４を設けている。そして、両透明導電膜４の所望位置に、額縁領域１１における所望部分を額縁領域１１の内側の入力操作領域から絶縁するためのスリット２６が形成されている。
【００４１】
固着部材１２は、電気絶縁性及び接着性を有するシリコーン接着剤から形成される固着要素１６を少なくとも一部に含む。固着部材１２の固着要素１６は、両電極板６の透明導電膜４に形成したスリット２６を被覆して配置されている。なお、電極板６、８のいずれか一方がスリット２６を有し、他方が前述した絶縁層３を有する構成としてもよい。
【００４２】
この構成では、電気絶縁性及び接着性を有するシリコーン接着剤から形成される固着要素１６が、マイグレーション現象を防止するように作用する。更に、固着部材１２の固着要素１６が、スリット２６を被覆して配置されるので、両電極板６、８の透明導電膜４の導体１４の金属がイオン化して固着部材１２上を移動してスリット２６を越えて透明導電膜４の中心に向かう側に析出するマイグレーション現象を、防止することができる。
【００４３】
図１１は、本発明の第５の実施形態のタッチパネル５０を、図８に対応する断面図で示す。
【００４４】
タッチパネル５０は、基板２及び基板２の一表面に設けられる透明導電膜４をそれぞれに備える一対の電極板６、８と、一対の電極板６、８の双方の外縁９に沿った環状の額縁領域１１（図６）に配置され、それら電極板６、８を、それぞれの透明導電膜４を互いに導通接触可能に対向かつ離間させた相対配置で互いに固着する固着部材１２とを具備する。両方の電極板６、８の額縁領域１１に、電極板６、８の透明導電膜４にそれぞれ接続される複数（２個ずつ）の導体１４がパターニングされる（図６及び図７）。それら電極板６、８は、基板２の表面の全体に透明導電膜４を設けている。そして、両透明導電膜４の所望位置に、額縁領域１１における所望部分を額縁領域１１の内側の入力操作領域から絶縁するためのスリット２６が形成されている。
【００４５】
固着部材１２は、電気絶縁性及び接着性を有するシリコーン接着剤から形成される固着要素１６を少なくとも一部に含む。固着部材１２の固着要素１６は、電極板６の透明導電膜４に形成したスリット２６に重ならないように配置されている。なお、固着部材１２が、両電極板６、８の透明導電膜４に形成したスリット２６に重ならないように配置される構成とすることもできる。また、電極板６、８のいずれか一方がスリット２６を有し、他方が前述した絶縁層３を有する構成としてもよい。
【００４６】
この構成では、電気絶縁性及び接着性を有するシリコーン接着剤から形成される固着要素１６が、マイグレーション現象を防止するように作用する。更に、固着部材１２の固着要素１６が、スリット２６に重ならないように配置されるので、スリット２６を画定する透明導電膜４の縁部分と固着要素１６との間に界面が存在せず、電極板６の透明導電膜４の導体１４の金属がイオン化して界面を移動してスリット２６を越えて透明導電膜４の中心に向かう側に析出するマイグレーション現象を、抑制することができる。
【００４７】
図１２は、本発明の第６の実施形態のタッチパネル６０を、図８に対応する断面図で示す。
【００４８】
タッチパネル６０は、基板２及び基板２の一表面に設けられる透明導電膜４をそれぞれに備える一対の電極板６、８と、一対の電極板６、８の双方の外縁９に沿った環状の額縁領域１１（図６）に配置され、それら電極板６、８を、それぞれの透明導電膜４を互いに導通接触可能に対向かつ離間させた相対配置で互いに固着する固着部材１２とを具備する。両方の電極板６、８の額縁領域１１に、電極板６、８の透明導電膜４にそれぞれ接続される複数（図では２個ずつ）の導体１４がパターニングされている（図６及び図７）。また、電極板６、８の透明導電膜４の上には、額縁領域１１に、タッチパネル１０の動作を確保するための絶縁層３が設けられ、絶縁層３の上に、導体１４の配線部分が配置されている。
【００４９】
固着部材１２は、電気絶縁性及び接着性を有するシリコーン接着剤から形成される固着要素１６を少なくとも一部に含む。更に、固着部材１２の固着要素１６の、透明導電膜４の中心に向かう側に隣接して、固着要素１６から発生する低分子シロキサンの内部流出を阻止する封止剤２８が、一対の電極板６、８の間を封止するように配置されている。なお、この構成は、上記したタッチパネル１０、２０、３０、４０、５０のいずれにも追加して設けることができる。この構成によれば、固着要素１６から発生する低分子シロキサンによる、タッチパネル６０の誤作動を、封止剤２８により防止することができる。
【００５０】
図１３は、本発明の第７の実施形態のタッチパネル７０を、図８に対応する断面図で示す。
【００５１】
タッチパネル７０は、基板２及び基板２の一表面に設けられる透明導電膜４をそれぞれに備える一対の電極板６、８と、一対の電極板６、８の双方の外縁９に沿った環状の額縁領域１１（図６）に配置され、それら電極板６、８を、それぞれの透明導電膜４を互いに導通接触可能に対向かつ離間させた相対配置で互いに固着する固着部材１２とを具備する。両方の電極板６、８の額縁領域１１に、電極板６、８の透明導電膜４にそれぞれ接続される複数（図では２個ずつ）の導体１４がパターニングされている（図６及び図７）。また、電極板６、８の透明導電膜４の上には、額縁領域１１に、タッチパネル１０の動作を確保するための絶縁層３が設けられ、絶縁層３の上に、導体１４の配線部分が配置されている。
【００５２】
固着部材１２は、電気絶縁性及び接着性を有するシリコーン接着剤から形成される固着要素１６を少なくとも一部に含む。更に、一方の電極板８は、基板２の表面の外縁９に沿って透明導電膜４を設けていない基板露出部分３２を備えている。固着部材１２は、基板露出部分３２を覆うように配置されて、電極板８の透明導電膜４の外縁３３を被覆する。なお、両方の電極板６、８が基板露出部分３２を備えていて、固着部材１２が両基板露出部分３２を覆うように配置されて透明導電膜４の外縁３３を被覆する構成とすることもできる。なお、この構成は、上記したタッチパネル１０、２０、３０、４０、５０、６０のいずれにも追加して設けることができる。この構成によれば、透明導電膜４の外縁３３が外部に露出されなくなるから、タッチパネルの誤作動を防止することができる。
【００５３】
図１４は、本発明の第８の実施形態のタッチパネル８０を、図８に対応する断面図で示す。
【００５４】
タッチパネル８０は、基板２及び基板２の一表面に設けられる透明導電膜４をそれぞれに備える一対の電極板６、８と、一対の電極板６、８の双方の外縁９に沿った環状の額縁領域１１（図６）に配置され、それら電極板６、８を、それぞれの透明導電膜４を互いに導通接触可能に対向かつ離間させた相対配置で互いに固着する固着部材１２とを具備する。両方の電極板６、８の額縁領域１１に、電極板６、８の透明導電膜４にそれぞれ接続される複数（図では２個ずつ）の導体１４がパターニングされている（図６及び図７）。また、電極板６、８の透明導電膜４の上には、額縁領域１１に、タッチパネル１０の動作を確保するための絶縁層３が設けられ、絶縁層３の上に、導体１４の配線部分が配置されている。
【００５５】
タッチパネル８０では、両方の電極板６、８が、基板２の表面の全体に透明導電膜４を設けている。固着部材１２は、電気絶縁性及び接着性を有するシリコーン接着剤から形成される固着要素１６を少なくとも一部に含む。固着部材１２は、基板２の表面の全体に透明導電膜４を設けている電極板６、８の外方３４へ食み出して配置されて、両電極板６、８の透明導電膜４の外縁３３を被覆する。なお、いずれか一方の電極板６、８が基板２の表面全体に透明導電膜４を設けていて、固着部材１２がその電極板６、８の外方３４へ食み出して透明導電膜４の外縁３３を被覆する構成とすることもできる。また、この構成は、上記したタッチパネル１０、２０、３０、４０、５０、６０、７０のいずれにも追加して設けることができる。この構成によれば、透明導電膜４の外縁３３が外部に露出されなくなるから、タッチパネルの誤作動を防止することができる。
【００５６】
図１５は、本発明の第９の実施形態のタッチパネル９０を、図８に対応する断面図で示す。
【００５７】
タッチパネル９０は、基板２及び基板２の一表面に設けられる透明導電膜４をそれぞれに備える一対の電極板６、８と、一対の電極板６、８の双方の外縁９に沿った環状の額縁領域１１（図６）に配置され、それら電極板６、８を、それぞれの透明導電膜４を互いに導通接触可能に対向かつ離間させた相対配置で互いに固着する固着部材１２とを具備する。両方の電極板６、８の額縁領域１１に、電極板６、８の透明導電膜４にそれぞれ接続される複数（図では２個ずつ）の導体１４がパターニングされている（図６及び図７）。また、電極板６、８の透明導電膜４の上には、額縁領域１１に、タッチパネル１０の動作を確保するための絶縁層３が設けられ、絶縁層３の上に、導体１４の配線部分が配置されている。
【００５８】
固着部材１２は、電気絶縁性及び接着性を有するシリコーン接着剤から形成される固着要素１６を少なくとも一部に含む。更に、固着部材１２は、額縁領域１１の内側に延長されて、誤入力防止層３６を形成している。なお、この構成は、上記したタッチパネル１０、２０、３０、４０、５０、６０、７０、８０のいずれにも追加して設けることができる。この構成では、固着部材１２によって形成される誤入力防止層３６が、タッチパネルの誤入力を防止するように作用する。
【００５９】
図１６は、本発明の第１０の実施形態のタッチパネル１００の電極板８を、固着部材１２及びフレキシブル配線板３８を配置した状態で示す。
【００６０】
タッチパネル１００は、図１〜図４のタッチパネル１０の構成に加えて、一対の電極板６、８の額縁領域１１に配置されるフレキシブル配線板３８をさらに具備する。そして、固着部材１２が、フレキシブル配線板３８を一対の電極板６、８に固着している。なお、この構成は、上記したタッチパネル２０、３０、４０、５０、６０、７０、８０のいずれにも追加して設けることができる。この構成によれば、一対の電極板６、８へのフレキシブル配線板３８の固定を、固着部材１２により補強することができる。
【符号の説明】
【００６１】
２    基板
３    絶縁層
４    透明導電膜
６    電極板
８    電極板
９    外縁
１０    タッチパネル
１１    額縁領域
１２    固着部材
１４    導体
１６    第１の固着要素
１８    第２の固着要素
１９    第１領域
２０    タッチパネル
２２    第２領域
２４    封止剤
２６    スリット２６
２８    封止剤
３０    タッチパネル
３２    基板露出部分
３３    外縁
３４    電極板の外方
３６    誤入力防止層
３８    フレキシブル配線板
４０    タッチパネル
５０    タッチパネル
６０    タッチパネル
７０    タッチパネル
８０    タッチパネル
９０    タッチパネル
１００    タッチパネル
【図１】
2012022398.tif 000003
【図２】
2012022398.tif 000004
【図３】
2012022398.tif 000005
【図４】
2012022398.tif 000006
【図５】
2012022398.tif 000007
【図６】
2012022398.tif 000008
【図７】
2012022398.tif 000009
【図８】
2012022398.tif 000010
【図９】
2012022398.tif 000011
【図１０】
2012022398.tif 000012
【図１１】
2012022398.tif 000013
【図１２】
2012022398.tif 000014
【図１３】
2012022398.tif 000015
【図１４】
2012022398.tif 000016
【図１５】
2012022398.tif 000017
【図１６】
2012022398.tif 000018